(57)【要約】【課題】周方向に配列された目盛部を有する表示板と、表示板に設けられた孔部と、孔部に挿通され回動自在な軸部と、軸部の上端に設けられ目盛部を指す指針とを備える計器装置において、外観を損なうことなく指針を軸支する軸部を高くし立体感を向上させる。【解決手段】軸部５の周面であって少なくとも孔部３１ａから上方へ露出した部位に、光を反射する反射面が設けられている。軸部５の周面であって孔部３１ａから上方へ露出した部位に、孔部３１ａの径よりも大径の大径部４１ａが設けられ、反射面は大径部４１ａの周面に設けられている。表示板３は光透過性を有し、表示板３の下方から光を照射する光源部７を備える。表示板３の外周縁部には上方に突出する環状の段差部３２が設けられている。【選択図】図２
2009002877.tif 000002
【特許請求の範囲】
【請求項１】
周方向に配列された目盛部を有する表示板と、該表示板に設けられた孔部と、該孔部に挿通され回動自在な軸部と、該軸部の上端に設けられ前記目盛部を指す指針とを備える計器装置において、
前記軸部の周面であって少なくとも前記孔部から上方へ露出した部位に、光を反射する反射面が設けられたことを特徴とする計器装置。
【請求項２】
前記軸部の周面であって前記孔部から上方へ露出した部位に、前記孔部の径よりも大径の大径部が設けられ、
前記反射面は該大径部の周面に設けられていることを特徴とする請求項１記載の計器装置。
【請求項３】
前記表示板に光を照射する光源部を備え、
前記表示板は光透過性を有し、
前記光源部は前記表示板の下方から光を照射することを特徴とする請求項１又は請求項２に記載の計器装置。
【請求項４】
前記表示板の外周縁部には上方に突出する環状の段差部が設けられていることを特徴とする請求項１から請求項３の何れか１項に記載の計器装置。
【発明の詳細な説明】
【技術分野】
【０００１】
本発明は、自動車の速度計等の計器装置に関する。
【背景技術】
【０００２】
従来、周方向に間隔を存して配列された目盛部を有する表示板と、表示板の中央部に設けられた孔部と、孔部に挿通され回動自在な軸部と、軸部の先端に設けられ目盛部を指す指針とを備え、表示板の周縁部に指針と同一の高さに突出した段差部を設け、段差部に目盛部の一部を付した自動車の速度計等の計器装置が知られている（例えば、特許文献１参照。）。これにより計器装置に立体感を醸し出させることができる。
【０００３】
ここで、特許文献１の如き計器装置では、立体感をより向上させるべく段差部をより高くしようとすると、視認性の観点から指針を軸支する軸部も高くし、段差部と指針とが略同一の高さとなるようにする必要がある。
【０００４】
しかしながら、指針を軸支する軸部を高くすると軸部が運転者等に視認され易くなり、計器装置の外観が損なわれるという問題があった。
【特許文献１】特開２００５−３３８０５９号公報
【発明の開示】
【発明が解決しようとする課題】
【０００５】
本発明は、以上の点に鑑み、外観を損なうことなく指針を軸支する軸部を高くし立体感を向上させることができる計器装置を提供することを目的とする。
【課題を解決するための手段】
【０００６】
上記目的を達成するため、本発明は、周方向に配列された目盛部を有する表示板と、該表示板に設けられた孔部と、該孔部に挿通され回動自在な軸部と、該軸部の上端に設けられ前記目盛部を指す指針とを備える計器装置において、前記軸部の周面であって少なくとも前記孔部から上方へ露出した部位に、光を反射する反射面が設けられたことを特徴とする。
【０００７】
本発明によれば、前記反射面に前記表示板の色彩、模様、光等が写り込むため、前記軸部の前記孔部から露出した部位が前記表示板と同化し目立たなくなる。従って、従来と比較して、外観を損なうことなく、前記軸部を長くさせることができ、前記指針を浮き上がらせ立体感を向上させることができる。
【０００８】
前記軸部の周面であって前記孔部から上方へ露出した部位に、前記孔部の径よりも大径の大径部が設けられ、前記反射面は該大径部の周面に設けられていることが好ましい。本発明によれば、前記大径部により前記孔部が隠れ、前記孔部を目立たなくさせることができる。
【０００９】
又、前記計器装置は一般的に夜間においても視認性を維持すべく光源部を備えている。そして、本発明の計器装置に、前記表示板の周縁から前記軸部側に向かって光が照射されるように光源部を配置すると、前記軸部の前記孔部から露出した部位の影が前記表示板に写り、前記計器装置の外観が損なわれると共に、前記計器装置の視認性が低下する虞がある。
【００１０】
そこで、前記表示板に光を照射する光源部を備え、前記表示板は光透過性を有し、前記光源部は前記表示板の下方から光を照射することが好ましい。本発明によれば、前記光源部の光は前記表示板の下方から照射されるため、前記軸部の前記孔部から露出した部位の影が前記表示板に写ることを防止することができる。又、前記光源部から照射された光の一部が前記反射面で反射して見えるため、前記指針があたかも宙に浮いているように見え、外観をより向上させることができる。
【００１１】
前記表示板の外周縁部には上方に突出する環状の段差部が設けられていることが好ましい。前記軸部を高くすることにより、例えば、自動車の助手席側から計器装置を視認した場合、前記反射面に前記目盛部が写り込み、計器装置の外観が損なわれると共に、計器装置の視認性が低下する虞がある。本発明によれば、前記表示板の外周縁部に前記段差部が設けられているため、前記反射面に前記目盛部が写り込むような角度から視認し難くなり、前記反射面に前記目盛部が写り込むことによって、外観が損なわれることを抑制すると共に、視認性の低下を抑制することができる。
【発明を実施するための最良の形態】
【００１２】
本発明の実施の形態を図１から図２を参照して説明する。図１は本発明の計器装置の実施形態を示す斜視図、図２は実施形態の計器装置の断面を示す説明的断面図である。
【００１３】
図１及び図２に示すように、本発明の実施形態の計器装置１は、自動車やオートバイ等の車両に設けられ車速を示す速度計であり、周方向に配列された目盛部２１，２２を有する表示板３と、目盛部２１，２２を指す指針４とを備える。
【００１４】
表示板３は、光透過性を有し、中央部に孔部３１ａが形成された円盤状の円盤部３１と、円盤部３１の外周縁に上方へ突出するように設けられた環状の段差部３２とで構成される。段差部３２の上面には、周方向に所定の間隔を存して棒状の第１目盛部２１が付されている。円盤部３１の外周縁部には段差部３２に付された第１目盛部２１に対応する位置に第２目盛部２２が付されている。
【００１５】
孔部３１ａには、図示しないモータにより回動自在な軸部５が挿通されている。軸部５の上端に指針４が取り付けられている。指針４は円盤状のキャップ部４１を備え、キャップ部４１が軸部５の先端と嵌合する。指針４と段差部３２とは略同一の高さとなるように設定されている。これにより、指針４と段差部３２との高低差により、指針４が指す目盛部２１，２２の位置が、本来指針４が指しているはずの目盛部２１，２２の位置からずれて見えるというようなことがなく、計器装置１の視認性の低下を防止することができる。
【００１６】
キャップ部４１の下面には、孔部３１ａの径よりも大径であり、且つ、孔部３１ａから上方へ露出した軸部５の部位を覆うように大径部４１ａが設けられている。これにより、孔部３１ａが大径部４１ａに隠れ、孔部３１ａを目立たなくさせることができる。
【００１７】
大径部４１ａの外周面は光を反射する反射面（鏡面）に形成されている。この大径部４１ａの反射面（鏡面）に、表示板３の色彩、模様等が写り込むため、大径部４１ａ、及び軸部５の孔部３１ａから上方へ露出した部位を、目立たなくさせることができる。従って、従来と比較して、外観を損なうことなく、軸部５を長くさせることができ、指針４があたかも宙に浮き上がっているように視認され、立体感を向上させることができる。
【００１８】
表示板３の下方には間隔を存して基板６が設けられている。基板６には、表示板３へ光を照射する光源部としてのＬＥＤ７が複数設けられている。このＬＥＤ７を発光させることにより、計器装置１は夜間においても視認性を維持することができる。
【００１９】
又、軸部５は従来と比較して高く設けられているため、表示板３の周縁から軸部５側に向かって光を照射するように光源部を配置すると、表示板３に大径部４１ａやキャップ部４１等の影が写りやすい。しかしながら、実施形態の計器装置１では、表示板３が光透過性を有し、表示板３の下方から光を照射するＬＥＤ７が設けられているため、表示板３に大径部４１ａ等の影が写ることを防止することができる。
【００２０】
実施形態の計器装置１によれば、表示板３の外周縁部には上方に突出し、指針４と略同一の高さの環状の段差部３２が設けられているため、軸部５を高くしても、例えば、自動車の助手席側から実施形態の計器装置１を視認した場合、段差部３２が障害となり、図２に一点鎖線で示すように、大径部４１ａの反射面（鏡面）を、第２目盛部２２が写り込まない角度からのみ視認することができるようにすることができる。従って、大径部４１ａの反射面（鏡面）に第２目盛部２２が写り込むことによる視認性の低下を抑制することができる。
【００２１】
又、表示板３にデジタル表示を行うディスプレイ部を設ける場合には、ディスプレイ部も指針４と略同一の高さまで上方に突出させ、上方に突出したディスプレイ部の周面を反射面（鏡面）とすれば、ディスプレイ部のデジタル表示も宙に浮いているように視認され、計器装置の外観を向上させることができる。
【００２２】
尚、実施形態の計器装置１においては、速度計を例に挙げて説明したが、本発明の計器装置１は速度計に限られるものではなく、他の指針式計器装置であってもよい。又、実施形態の大径部４１ａはキャップ部４１の下面に設けられており軸部５と別体としているが、大径部は軸部５と一体に形成してもよい。又、実施形態の計器装置１においては、大径部４１ａが円柱状であるものを図示しているが、大径部は多角柱状であっても本発明の効果を得ることができる。
【図面の簡単な説明】
【００２３】
【図１】本発明の計器装置の実施形態を示す斜視図。
【図２】実施形態の計器装置の断面を示す説明的断面図。
【符号の説明】
【００２４】
１…計器装置、  ２１…第１目盛部、  ２２…第２目盛部、  ３…表示板、  ３１…円盤部、  ３１ａ…孔部、  ３２…段差部、  ４…指針、  ４１…キャップ部、  ４１ａ…大径部、  ５…軸部、  ６…基板、  ７…ＬＥＤ（光源部）。
【図１】
2009002877.tif 000003
【図２】
2009002877.tif 000004